(57)【要約】【課題】ケーブルとの接続に要するコストを低減でき、かつ作業が簡便に行える内視鏡のカメラヘッドおよびカメラヘッドにおけるワイヤ接続方法を提供する。【解決手段】カメラヘッド１は、光学画像に応じた撮像信号を出力する撮像素子と、撮像信号が入力される回路の配線パターンが形成された回路基板と、両側に粘着面が形成され、かつその粘着面の一方が配線パターン脇の回路基板上に固着された両面粘着部材とを有し、接続ワイヤの先端部分が配線パターンに固着され、かつ中間部分が両面粘着部材の他方の粘着面に固着されている。【選択図】図４
2009131513.tif 000002
【特許請求の範囲】
【請求項１】
光学画像に応じた撮像信号を出力する撮像素子と、
前記撮像信号が入力される回路の配線パターンが形成された回路基板と、
両側に粘着面が形成され、かつ該粘着面の一方が前記配線パターン脇の前記回路基板上に固着された両面粘着部材とを有し、
接続ワイヤの先端部分が前記配線パターンに固着され、かつ中間部分が前記両面粘着部材の他方の前記粘着面に固着されていることを特徴とする内視鏡のカメラヘッド。
【請求項２】
前記両面粘着部材における他方の前記粘着面に前記接続ワイヤの前記中間部分が接着剤により固定されていることを特徴とする請求項１記載の内視鏡のカメラヘッド。
【請求項３】
前記回路基板は、表面および裏面のそれぞれに前記配線パターンが形成され、
前記両面粘着部材は、前記回路基板の表面および裏面のそれぞれに固着され、
前記接続ワイヤは、前記回路基板の表面および裏面のそれぞれにおいて、先端部分が前記配線パターンに固着され、かつ中間部分が前記両面粘着部材の他方の前記粘着面に固着されていることを特徴とする請求項１記載の内視鏡のカメラヘッド。
【請求項４】
前記接続ワイヤの前記先端部分が半田付けして前記配線パターンに固着されていることを特徴とする請求項１〜３のいずれか一項記載の内視鏡のカメラヘッド。
【請求項５】
光学画像に応じた撮像信号を出力する撮像素子と、前記撮像信号が入力される回路の配線パターンが形成された回路基板とを有する内視鏡のカメラヘッドにおけるワイヤ接続方法であって、
両側に粘着面が形成された両面粘着部材における該粘着面の一方を前記配線パターン脇の前記回路基板上に固着し、
接続ワイヤの先端部分を前記配線パターンに固着し、
前記接続ワイヤの中間部分を前記両面粘着部材の他方の前記粘着面に固着することを特徴とするワイヤ接続方法。
【請求項６】
前記両面粘着部材の前記粘着面に前記接続ワイヤの前記中間部分を接着剤により固定することを特徴とする請求項５記載のワイヤ接続方法。
【請求項７】
前記接続ワイヤの前記先端部分を半田付けして前記配線パターンに固着することを特徴とする請求項５または６記載のワイヤ接続方法。
【請求項８】
前記両面粘着部材として両面テープを用いる請求項５〜７のいずれか一項記載のワイヤ接続方法。
【発明の詳細な説明】
【技術分野】
【０００１】
本発明は、内視鏡のカメラヘッドおよびカメラヘッドにおけるワイヤ接続方法に関する。
【背景技術】
【０００２】
従来、観察対象物の内部に挿入して、その観察対象物の内部を観察する内視鏡が知られている。内視鏡には、体腔内を観察する医療用の内視鏡や、パイプや機械などの構造物の内部を観察する工業用の内視鏡がある。内視鏡は、構造物の内部に挿入されるカメラヘッド（挿入部ともいう）と、カメラヘッドから取り込まれた信号を処理するカメラコントロールユニット（内視鏡本体ともいう）と、双方を接続するケーブルとを有している。従来、内視鏡のカメラヘッドに関して、例えば特許文献１には、ＦＰＣと硬質基板との接続部位を硬質基板の後側に設けてＦＰＣと硬質基板との接触面積を確保するようにした電子内視鏡が開示されている。
【特許文献１】特開平１０−２４８８０４号公報
【発明の開示】
【発明が解決しようとする課題】
【０００３】
従来の内視鏡におけるカメラヘッドは、例えば図７に示すように、対物レンズ１００と、対物レンズ１００を通して得られる被写体の光学画像に応じた信号を生成するＣＣＤ（Charge  Coupled  Device）１０１と、信号処理を行う電子部品が搭載された回路基板１０２を有し、回路基板１０２の複数の接続端子１０３がケーブル１１０内に納められている複数本のワイヤ１１１と接続されている。図７に示したカメラヘッド２００の場合、回路基板１０２の接続端子１０３をワイヤ１１１と接続するときに、図８に示すようなコネクタ１０４を用いている。
【０００４】
しかし、このコネクタ１０４は複数の接続端子１０３と、複数本のワイヤ１１１のそれぞれに対応した端子１０４ａ，１０５aが両側に複数形成されており、端子１０４ａ，１０５aはカメラヘッド２００を細くしている関係で、それぞれ隣同士の間隔が狭くて非常に微細な構造であった。そのため、専用の金型を用いて１つ１つ個別に生産しなければならず、単価が極めて高価であった。
【０００５】
一般に、カメラヘッドは曲がりくねった構造物の内部や体腔内に挿入されることが多く、そのため、色々な方向に曲げられて使用されることが多い。そのため、回路基板１０２と、ワイヤ１１１との接続に不具合を生じやすく、コネクタ１０４を交換して双方をつなぎ直さねばならないことも多かった。
【０００６】
このような課題を解消するため、図９に示すように、コネクタ１０４を用いずに回路基板１０２とワイヤ１１１とを接続するとともに、その接続部分を接着剤１０６で固めてしまい強固にするという技術もあるが、こうすると、何らかの事情（例えば、ケーブル１１０の交換など）で回路基板１０２とワイヤ１１１とをつなぎ直す必要な生じたときに作業にかなりの手間を要してしまう。
【０００７】
そこで、本発明は上記課題を解決するためになされたもので、ケーブルとの接続に要するコストを低減でき、かつ作業が簡便に行える内視鏡のカメラヘッドおよびカメラヘッドにおけるワイヤ接続方法を提供することを目的とする。
【課題を解決するための手段】
【０００８】
上記課題を解決するため、本発明は、光学画像に応じた撮像信号を出力する撮像素子と、撮像信号が入力される回路の配線パターンが形成された回路基板と、両側に粘着面が形成され、かつその粘着面の一方が配線パターン脇の回路基板上に固着された両面粘着部材とを有し、接続ワイヤの先端部分が配線パターンに固着され、かつ中間部分が両面粘着部材の他方の粘着面に固着されているカメラヘッドを特徴とする。
【０００９】
また、本発明は、光学画像に応じた撮像信号を出力する撮像素子と、撮像信号が入力される回路の配線パターンが形成された回路基板とを有する内視鏡のカメラヘッドにおけるワイヤ接続方法であって、両側に粘着面が形成された両面粘着部材におけるその粘着面の一方を配線パターン脇の回路基板上に固着し、接続ワイヤの先端部分を前記配線パターンに固着し、接続ワイヤの中間部分を両面粘着部材の他方の粘着面に固着するワイヤ接続方法を提供する。
【発明の効果】
【００１０】
以上詳述したように、本発明によれば、ケーブルとの接続に要するコストを低減でき、かつ作業が簡便に行える内視鏡のカメラヘッドおよびカメラヘッドにおけるワイヤ接続方法が得られる。
【発明を実施するための最良の形態】
【００１１】
以下、本発明の実施の形態について説明する。なお、同一要素には同一符号を用い、重複する説明は省略する。
【００１２】
図１は本発明の実施形態に係るカメラ装置１００の主要な構成を示すブロック図、図２カメラヘッド内部の主要な構成を示す側面図、図３は図２の破線Ｐで囲まれた部分を拡大した平面図、図４は同じく側面図である。
【００１３】
図１に示すカメラ装置１００は、カメラヘッド１と、カメラコントロールユニット（Camera  Control  Unit、以下「ＣＣＵ」ともいう）２とを有し、カメラヘッド１と、ＣＣＵ２とがカメラケーブル３で接続される構成となっている。
【００１４】
カメラヘッド１は図２に示すように、対物レンズ１０と、ＣＣＤ１１と、回路基板１２とを有している。対物レンズ１０は被写体の光学画像を結像してＣＣＤ１１に取り込む。ＣＣＤ１１は、結像された光学画像に応じた撮像信号を生成して出力する撮像素子である。回路基板１２は、図３に示すように、撮像信号が入力される回路の配線パターン１３が表面および裏面それぞれに形成され、配線パターン１３には、撮像信号を処理する電子部品１２ａ，１２ｂ、１２ｃが実装されている。
【００１５】
また、回路基板１２には、ＣＣＤ１１からみて奥側に配置される配線パターン１３の接続パッド１３ａの脇部分に両面テープ１４が固着されている。両面テープ１４は両面が粘着面とされた両面粘着部材であって、その一方の粘着面が回路基板１２に固着され、他方の粘着面は絶縁材からなる接続ワイヤ１５の被覆部１５ａが固着されている。
【００１６】
両面テープ１４は図３に示すように、回路基板１２の幅Ｗ１よりも小さい幅Ｗ２および奥行きＤを有する矩形状に形成され、その表面には、被覆部１５ａが固着されており、その状態で接着剤１６が塗布されたことにより、その固着状態が固定されている。
【００１７】
接続ワイヤ１５は、被覆部１５ａに被覆されつつカメラケーブル３に収納されており、回路基板１２の表側、裏側にそれぞれ４本ずつ配置されている。また、接続ワイヤ１５は、図４にも示すように、先端部分が被覆部１５ａに被覆されない露出状態とされた上で接続パッド１３ａに半田１７により固着され、先端部分からカメラケーブル３に収納された部分までの中間部分となる被覆部１５ａが両面テープ１４の表面に固着されている。なお、図４では、図示の都合上、回路基板１２の表面側のみ接続ワイヤ１５を表示し、裏面側は図示を省略している。
【００１８】
ＣＣＵ２はＣＣＤ１１を駆動するための駆動信号を生成する駆動回路２ａと、カメラケーブル３を通ってカメラヘッド１から入力される撮像信号の増幅や、Ｄ／Ａ変換、表示装置に画像を表示するための映像信号の生成などを行う信号処理回路２ｂとを有している。
【００１９】
そして、このようなカメラ装置１００では、カメラヘッド１を観察対象物の内部に挿入して、観察対象物の内部の光学画像を対物レンズ１０によりＣＣＤ１１に結像し、ＣＣＤ１１から光学画像に応じた撮像信号を生成して出力する。この撮像信号は配線パターン１３から接続ワイヤ１５を通ってカメラケーブル３に導かれ、ＣＣＵ２に入力される。
【００２０】
また、ＣＣＵ２から出力される映像信号を図示しない表示装置に導き、その表示装置における画像表示によって、カメラヘッド１で捕らえた被写体を観察できるようになっている。
【００２１】
ここで、カメラヘッド１に対するカメラケーブル３の接続手順について説明する。この場合、まず、図５に示すように、回路基板１２における配線パターン１３脇に両面テープ１４を固着する。両面テープ１４は両面が粘着面とされているので、その内の一方の粘着面を配線パターン１３脇に固着する。
【００２２】
次に、図６に示すように、各接続ワイヤ１５について、先端部分を被覆部１５ａに被覆されない露出状態とした上で、接続パッド１３ａ上に載置する。このとき、先端部分からカメラケーブル３に収納された部分までの中間部分となる被覆部１５ａを両面テープ１４の粘着面上に粘着して仮固定状態を形成する。
【００２３】
次に、両面テープ１４上に接着剤１６を塗布するとともに、接続パッド１３ａ上で半田付けを行うことによって、接続ワイヤ１５の本固定を行うと、以上のようなカメラヘッド１を備えたカメラ装置１００が得られる。
【００２４】
一方、カメラ装置１００において、何らかの事情で接続ワイヤ１５を交換する必要が生じたとする。この場合はまず、半田ごてを用いて接続パッド１３ａ上の半田１７を溶かして接続ワイヤ１５を接続パッド１３ａから取り外す。
【００２５】
続いて両面テープ１４を回路基板１２から剥がすことにより、接続ワイヤ１５を両面テープ１４ごと回路基板１２から取り外す。そして、交換後のワイヤを回路基板１２に接続するときは上述の工程を再び実行すればよい。
【００２６】
このように、カメラヘッド１は接続ワイヤ１５を回路基板１２に接続するにあたって、両面テープ１４を用い、その両面テープ１４の一方の粘着面を回路基板１２に固着する一方、他方の粘着面を接続ワイヤ１５の仮固定に用いている。
【００２７】
そのため、接続ワイヤ１５を交換するときは両面テープ１４を回路基板１２から剥離することによって接続ワイヤ１５を両面テープ１４ごと回路基板１２から取り外せるようになっている。したがって、接続ワイヤ１５の交換作業を非常に簡便に行うことができ、特殊な技能なども要さないようになっている。
【００２８】
また、接続ワイヤ１５の接続が回路基板１２の大きさの範囲内で行えるので、接続に要する構造部分の容積が小さくなっている。しかも、接続ワイヤ１５の接続に、両面テープ１４、接着剤１６、半田１７といった他の用途のある汎用性の高い材料ないし物品を用いることができるので、金型等の特殊な治具や物品を必要とせず、接続に要するコストを低減できるようにもなっている。
【００２９】
さらにカメラヘッド１では、接続ワイヤ１５の接続に両面テープ１４を用いている。両面テープ１４は使用する際、それぞれの粘着面を覆っているテープを剥がすだけでよいので、接続ワイヤ１５の接続作業を簡単に行える。
【００３０】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００３１】
【図１】本発明の実施形態に係るカメラ装置の主要な構成を示すブロック図である。
【図２】同じく、カメラヘッド内部の主要な構成を示す側面図である。
【図３】図２の破線Ｐで囲まれた部分を拡大した平面図である。
【図４】同じく、側面図である。
【図５】カメラヘッドに接続ワイヤの接続する手順を図示した側面図である。
【図６】図５の後続の手順を図示した側面図である。
【図７】従来のカメラ装置におけるカメラヘッド内部の主要な構成を示す側面図である。
【図８】図７におけるコネクタを示す斜視図である。
【図９】従来の別のカメラ装置におけるカメラヘッド内部の主要な構成を示す側面図である。
【符号の説明】
【００３２】
１００…カメラ装置、１…カメラヘッド、２…ＣＣＵ、１０…対物レンズ、１１…ＣＣＤ、１２…回路基板、１３…配線パターン、１４…両面テープ、１５…接続ワイヤ、１５ａ…被覆部、１６…接着剤，１７…半田。
【図１】
2009131513.tif 000003
【図２】
2009131513.tif 000004
【図３】
2009131513.tif 000005
【図４】
2009131513.tif 000006
【図５】
2009131513.tif 000007
【図６】
2009131513.tif 000008
【図７】
2009131513.tif 000009
【図８】
2009131513.tif 000010
【図９】
2009131513.tif 000011